【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
１回目の未定着トナー像を担持させ被記録材を像加熱装置に通紙して未定着トナー像を永久固着させ、該被記録材の１回目の画像形成面又は１回目の画像形成面とは異なる面に、２回目の未定着トナー像を担持させ該被記録材を前記像加熱装置に再通紙して未定着トナー像を永久固着させることで被記録材の同じ面又は異なる面に２回画像形成する多重又は両面印字機能を有する画像形成装置であって、
被記録材の２回目の未定着トナー像を永久固着させるときの像加熱装置の温度を１回目と２回目の永久固着画像部の光沢度差が５％以下となる温度に制御することを特徴とする画像形成装置。
【請求項２】
被記録材の１回目の未定着トナー像を永久固着させるときの像加熱装置の制御温度をＴ１、被記録材の２回目の未定着トナー像を永久固着させるときの像加熱装置の制御温度をＴ２、被記録材の２回目に未定着トナー像を永久固着させるときに定着不良を生じる温度をＴ２′としたとき、Ｔ２′＜Ｔ２＜Ｔ１であることを特徴とする請求項１に記載の画像形成装置。
【請求項３】
前記像加熱装置は、磁場発生手段と、該磁場発生手段の磁界の作用で電磁誘導発熱する電磁誘導発熱性部材と、該電磁誘導発熱性部材の温度を検知する温度検知手段と、前記電磁誘導発熱性部材と相互圧接して被記録材を挟持搬送するニップ部を形成する加圧部材を有し、前記電磁誘導発熱性部材は前記温度検知手段の検知温度に基づき制御される前記磁場発生手段の発生する磁界により発熱し所定の温度に制御されて前記ニップ部を挟持搬送される被記録材の未定着トナー像を加熱加圧により永久固着させるものであることを特徴とする請求項１又は２の何れかに記載の画像形成装置。
【請求項４】
前記加熱装置の電磁誘導発熱性部材は円筒状フィルムからなることを特徴とする請求項３に記載の画像形成装置。
【請求項５】
前記電磁誘導発熱性部材としての円筒状フィルムの表面に弾性体層を備えたことを特徴とする請求項４に記載の画像形成装置。
【請求項６】
前記像加熱装置において、オイル供給又はオイル塗布することのないことを特徴とする請求項１乃至５の何れか１つに記載の画像形成装置。
【請求項７】
前記未定着トナーを形成するトナーは、ワックス若しくはパラフィン又はポリオレフィン類を含有し、重合法により製造されたものであることを特徴とする請求項１乃至６の何れか１つに記載の画像形成装置。
【請求項８】
前記像加熱装置は、加熱体と、この加熱体と摺動するフィルムと、このフィルムを介して前記加熱体とニップ部を形成する加圧部材と、を有し、前記ニップ部において被加熱材を挟持搬送して前記フィルムを介した前記加熱体からの熱とニップ部圧により被記録材の未定着トナー像を永久固着させるものであることを特徴とする請求項１又は２の何れかに記載の画像形成装置。
【請求項９】
前記加熱体は基板に通電により発熱する発熱体が設けられたもの、又は電磁誘導発熱性部材を有することを特徴とする請求項８に記載の画像形成装置。
【手続補正２】
【補正対象書類名】明細書
【補正対象項目名】００２９
【補正方法】変更
【補正の内容】
【００２９】
（１）１回目の未定着トナー像を担持させ被記録材を像加熱装置に通紙して未定着トナー像を永久固着させ、該被記録材の１回目の画像形成面又は１回目の画像形成面とは異なる面に、２回目の未定着トナー像を担持させ該被記録材を前記像加熱装置に再通紙して未定着トナー像を永久固着させることで被記録材の同じ面又は異なる面に２回画像形成する多重又は両面印字機能を有する画像形成装置であって、
被記録材の２回目の未定着トナー像を永久固着させるときの像加熱装置の温度を１回目と２回目の永久固着画像部の光沢度差が５％以下となる温度に制御することを特徴とする画像形成装置。
（２）被記録材の１回目の未定着トナー像を永久固着させるときの像加熱装置の制御温度をＴ１、被記録材の２回目の未定着トナー像を永久固着させるときの像加熱装置の制御温度をＴ２、被記録材の２回目に未定着トナー像を永久固着させるときに定着不良を生じる温度をＴ２′としたとき、Ｔ２′＜Ｔ２＜Ｔ１であることを特徴とする（１）に記載の画像形成装置。
（３）前記像加熱装置は、磁場発生手段と、該磁場発生手段の磁界の作用で電磁誘導発熱する電磁誘導発熱性部材と、該電磁誘導発熱性部材の温度を検知する温度検知手段と、前記電磁誘導発熱性部材と相互圧接して被記録材を挟持搬送するニップ部を形成する加圧部材を有し、前記電磁誘導発熱性部材は前記温度検知手段の検知温度に基づき制御される前記磁場発生手段の発生する磁界により発熱し所定の温度に制御されて前記ニップ部を挟持搬送される被記録材の未定着トナー像を加熱加圧により永久固着させるものであることを特徴とする（１）又は（２）の何れかに記載の画像形成装置。
（４）前記加熱装置の電磁誘導発熱性部材は円筒状フィルムからなることを特徴とする（３）に記載の画像形成装置。
（５）前記電磁誘導発熱性部材としての円筒状フィルムの表面に弾性体層を備えたことを特徴とする（４）に記載の画像形成装置。
（６）前記像加熱装置において、オイル供給又はオイル塗布することのないことを特徴とする（１）乃至（５）の何れか１つに記載の画像形成装置。
（７）前記未定着トナーを形成するトナーは、ワックス若しくはパラフィン又はポリオレフィン類を含有し、重合法により製造されたものであることを特徴とする（１）乃至（６）の何れか１つに記載の画像形成装置。
（８）前記像加熱装置は、加熱体と、この加熱体と摺動するフィルムと、このフィルムを介して前記加熱体とニップ部を形成する加圧部材と、を有し、前記ニップ部において被加熱材を挟持搬送して前記フィルムを介した前記加熱体からの熱とニップ部圧により被記録材の未定着トナー像を永久固着させるものであることを特徴とする（１）又は（２）の何れかに記載の画像形成装置。
（９）前記加熱体は基板に通電により発熱する発熱体が設けられたもの、又は電磁誘導発熱性部材を有することを特徴とする（８）に記載の画像形成装置。
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】削除
【補正の内容】
【手続補正５】
【補正対象書類名】明細書
【補正対象項目名】００３２
【補正方法】削除
【補正の内容】
【手続補正６】
【補正対象書類名】明細書
【補正対象項目名】００３３
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】削除
【補正の内容】
【手続補正１０】
【補正対象書類名】明細書
【補正対象項目名】００３７
【補正方法】削除
【補正の内容】
【手続補正１１】
【補正対象書類名】明細書
【補正対象項目名】００３８
【補正方法】削除
【補正の内容】
【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】削除
【補正の内容】
【手続補正１４】
【補正対象書類名】明細書
【補正対象項目名】００４１
【補正方法】削除
【補正の内容】
【手続補正１５】
【補正対象書類名】明細書
【補正対象項目名】００４２
【補正方法】削除
【補正の内容】
【手続補正１６】
【補正対象書類名】明細書
【補正対象項目名】００８０
【補正方法】変更
【補正の内容】
【００８０】
加圧ローラ３０は駆動手段Ｍにより矢示の反時計方向に回転駆動される。この加圧ローラ３０の回転駆動による前記加圧ローラ３０と定着フィルム１０の外面との摩擦力で定着フィルム１０に回転力が作用し、前記定着フィルム１０がその内面が定着ニップＮにおいて良熱伝導部材４０の下面に密着して摺動しながら矢示の時計方向に加圧ローラ３０の回転周速度にほぼ対応した周速度をもってフィルムガイド部材１６ａ，１６ｂの外回りを回転状態になる。


【手続補正１７】
【補正対象書類名】明細書
【補正対象項目名】００８４
【補正方法】変更
【補正の内容】
【００８４】
図６は交番磁束の発生の様子を模式的に表したものである。磁束Ｃは発生した交番磁束の一部を表す。磁性コア１７ａ・１７ｂ・１７ｃに導かれた交番磁束（Ｃ）は、磁性コア１７ａと磁性コア１７ｂとの間、そして磁性コア１７ａと磁性コア１７ｃとの間において定着フィルム１０の電磁誘導発熱層に渦電流を発生させる。この渦電流は電磁誘導発熱層の固有抵抗によって電磁誘導発熱層にジュール熱（渦電流損）を発生させる。ここでの発熱量Ｑは電磁誘導発熱層を通る磁束の密度によって決まり図６のグラフような分布を示す。図６のグラフは、縦軸が磁性コア１７ａの中心を０とした角度θで表した定着フィルム１０における円周方向の位置を示し、横軸が定着フィルム１０の電磁誘導発熱層での発熱量Ｑを示す。ここで、発熱域Ｈは最大発熱量をＱとした場合、発熱量がＱ／ｅ以上の領域と定義する。これは、定着に必要な発熱量が得られる領域である。


【手続補正１８】
【補正対象書類名】明細書
【補正対象項目名】０１３２
【補正方法】変更
【補正の内容】
【０１３２】
また、トナー粒度分布制御や粒径の制御は、難水溶性の無機塩や保護コロイド作用を有する分散剤の種類や添加量を変える方法や機械的装置条件、例えばローラの周速・パス回数・撹拌羽根形状等の撹拌条件や容器形状の設定、又は水溶液中での固形分濃度等を制御することにより所定の本実施例のトナーを得ることができる。